(57)【要約】【課題】使用面積増加可能なコード巻回ケース構造を提供する。【解決手段】内部に収納空間が形成されるコード巻回ケース本体と、両面にそれぞれ収納槽と巻回軸とを有する第一盤体を備える、前記コード巻回ケース本体の収納空間内に枢着されるコード巻回盤と、一端が前記コード巻回盤のコード巻回軸の外方に巻回されて内圏部分を形成しつつ、他端が前記コード巻回盤の第一盤体を通してから前記収納槽内に巻回されて外圏部分を形成することによって前記コード巻回盤の第一盤体の両面におけるコード巻回軸と収納槽内に配置される通信コードと、前記コード巻回ケース本体と前記コード巻回盤との間に連接される動力スプリングとからなる。【選択図】      図３
2005015104.tif 000002
【特許請求の範囲】
【請求項１】
内部に収納空間が形成される、コード巻回ケース本体と、
両面にそれぞれ収納槽と巻回軸とを有する第一盤体を備える、前記コード巻回ケース本体の収納空間内に枢着される、コード巻回盤と、
一端が前記コード巻回盤のコード巻回軸の外方に巻回されて内圏部分を形成しつつ、他端が前記コード巻回盤の第一盤体を通してから前記収納槽内に巻回されて外圏部分を形成することによって前記コード巻回盤の第一盤体の両面におけるコード巻回軸と収納槽内に配置される、通信コードと、
前記コード巻回ケース本体と前記コード巻回盤との間に連接される動力スプリングとを少なくとも有することを特徴とする使用面積増加可能なコード巻回ケース構造。
【請求項２】
前記コード巻回ケース本体の収納空間側に、通信コードの一端の通過に供できる第一孔部と前記通信コードの他端の通過に供できる第二孔部が形成されることを特徴とする請求項１に記載の使用面積増加可能なコード巻回ケース構造。
【請求項３】
前記コード巻回ケース本体の側辺部に滑走可能にまたは固定的に係止ボタンが配置され、当該係止ボタンには係止部を有し、当該係止部が通信コードを係止でき、通信コードの一端に係止状態を形成させることができることを特徴とする請求項１に記載の使用面積増加可能なコード巻回ケース構造。
【請求項４】
前記コード巻回ケース本体にはボタン式の往復制御手段が配置され、押し付け方式によって通信コードを固定または巻回するようにコントロールすることを特徴とする請求項１に記載の使用面積増加可能なコード巻回ケース構造。
【請求項５】
前記コード巻回盤にはさらに第二盤体が配置され、前記収納槽が前記第一盤体と前記第二盤体との間に形成されることを特徴とする請求項１に記載の使用面積増加可能なコード巻回ケース構造。
【請求項６】
前記コード巻回盤の第一盤体には穿孔が形成され、当該穿孔が前記第一盤体の両面を貫通し、前記コード巻回軸に巻回される通信コードが前記穿孔を通してから前記収納槽内に巻回されることを特徴とする請求項１に記載の使用面積増加可能なコード巻回ケース構造。
【請求項７】
前記コード巻回盤にはスプリング収納槽を有し、前記動力スプリングが前記コード巻回盤のスプリング収納槽内に収納され、前記動力スプリングの一端が前記コード巻回盤に係止され、前記動力スプリングの他端が前記コード巻回ケース本体に係止されることを特徴とする請求項１に記載の使用面積増加可能なコード巻回ケース構造。
【請求項８】
前記コード巻回ケースの収納空間の内側面に突出軸が配置され、且つ他の側面に前記突出軸の挿着に供する凹槽が形成され、前記コード巻回盤には軸孔が形成され、前記軸孔が前記突出軸に枢着され、コード巻回盤をコード巻回ケース本体の収納空間内に枢着し、前記突出軸にはスリットが形成され、前記コード巻回盤には係止板が配設され、前記動力スプリングの一端が前記コード巻回盤の係止板に係止されると共に、その他端が前記コード巻回ケース本体の突出軸のスリットに係止されることを特徴とする請求項７に記載の使用面積増加可能なコード巻回ケース構造。
【請求項９】
前記動力スプリングの下方に仕切片が配置され、当該仕切片が前記動力スプリングと前記通信コードの間に介在されるように設定されることを特徴とする請求項７に記載の使用面積増加可能なコード巻回ケース構造。
【請求項１０】
前記動力スプリングの上方にカバーが配設され、当該カバーがスプリング収納槽の上部にカバーされ、前記スプリング収納槽を封止することを特徴とする請求項７に記載の使用面積増加可能なコード巻回ケース構造。
【請求項１１】
前記カバーには位置決めベースが配置され、当該位置決めベースには係止槽が配設され、また、コード巻回盤に隣接する箇所に往復制御手段が配置され、当該往復制御手段には自由にスイングできるスイング・ピースと自由に回転可能なツメ車が配置され、スイング・ピースとツメ車とカバーの係止槽との間のインターアクト関係によって通信コードが繰り返す引っ張り・釈放の動作によって固定または巻回されるように設定されることを特徴とする請求項１０に記載の使用面積増加可能なコード巻回ケース構造。
【請求項１２】
前記カバーには位置決めベースが配置され、当該位置決めベースにはトラック・スロットが形成され、当該トラック・スロットにはローリング・ボールが配置され、また、前記コード巻回ケース本体にはストップ・スロットが形成され、前記ローリング・ボールの一部が前記ストップ・スロットに位置され、前記ローリング・ボールと前記トラック・スロットとのインターアクト関係によって通信コードを繰り返して引っ張り・釈放作動させ、固定または巻回収納を実行させることを特徴とする請求項１０に記載の使用面積増加可能なコード巻回ケース構造。
【請求項１３】
前記動力スプリングが前記コード巻回ケース本体の収納空間内に配置されつつ、その動力スプリングの一端が前記コード巻回盤に係止されることを特徴とする請求項１に記載の使用面積増加可能なコード巻回ケース構造。
【請求項１４】
通信装置に設けられることを特徴とする請求項１に記載の使用面積増加可能なコード巻回ケース構造。
【請求項１５】
交換変圧器に使用されることを特徴とする請求項１に記載の使用面積増加可能なコード巻回ケース構造。
【請求項１６】
車両用チャージャーに使用されることを特徴とする請求項１に記載の使用面積増加可能なコード巻回ケース構造。
【請求項１７】
延長コードコンセントに使用されることを特徴とする請求項１に記載の使用面積増加可能なコード巻回ケース構造。
【請求項１８】
コードレス電話装置に配置され、コードレス電話装置本体と外部接続式イヤホンとマイクとを接続することを特徴とする請求項１に記載の使用面積増加可能なコード巻回ケース構造。
【請求項１９】
電話装置本体と受話器との間に配置され、電話装置本体と受話器とを接続することを特徴とする請求項１に記載の使用面積増加可能なコード巻回ケース構造。
【請求項２０】
マウス装置に配置され、マウス装置とコネクタとを接続することを特徴とする請求項１に記載の使用面積増加可能なコード巻回ケース構造。
【発明の詳細な説明】
【０００１】
【発明の属する技術分野】
本発明は、使用面積増加可能なコード巻回ケース構造に係わり、特に自動的に巻回可能なコードを有しつつ、コード巻回ケースの使用面積を大幅に増加でき、長いほうの通信コードを収納できる、使用面積増加可能なコード巻回ケース構造に関するものである。
【０００２】
【従来の技術】
現今では、コンピュータやモデムや電話装置やファクシミリーなどの通信設備を使用する場合、すべて適当な通信コードを配置してそれぞれの設備を接続し、電気通信接続の目的を図るが、長すぎて、多すぎる通信コード同士が混乱で纏い合わせられ、または短くて実際のニーズに応じられなくなったりすることを防止するために、従来では、多くのそれぞれのタイプの通信設備に適用するコード巻回ケース製品が提案されてきた。従来のコード巻回ケース構造は基本的にはコード巻回ケース本体と通信コードとコード巻回盤とスプリングとを備え、こうすると、通信コードのプラグを関連する通信装置におけるソケットに挿着できるようになり、情報の交流の目的を図れる。
【０００３】
他に、従来のコード巻回ケースは通信コードを引き出す後に、スプリングの強大的な弾力性引張り力の作用によりきつい状態となることがあり、所定の長さを伸ばさせるように保持させることができなくなってしまい、そのため、使用者に対してはかなり大きな面倒さを招くようになってしまう。また、従来物においても、引き出される通信コードを位置決められるコード巻回ケースを有し、それは主に柔軟的にスイングできるスイング・ピースと回転盤の周囲に設けられる切り欠きと係止槽との相互の合せることによって巻回収納または位置決め機能とを果たす。
【０００４】
しかしながら、前記の従来のコード巻回ケースの場合では、その通信コードがコード巻回盤に巻回される際に、内外方が反対状態となり、コード巻回盤の空間的制限を受けており、且つコード巻回盤に配置される通信コードの外圏部分と内圏部分とが正比例関係を成す必要があるため、コード巻回盤に配置される通信コードの外圏部分が制限を受けており、コード巻回ケースの使用面積は限度があるようになり、長いほうの通信コードを収納不能になる場合さえあり、コード巻海ケースの使用のことにリミットを加えるようになってしまうことがある。
【０００５】
そのため、本発明の発明者は前記のそれぞれの課題が解消されることができると存じて、力を注いで研究開発を進めると共に、学術の運用を合せつつ開発した結果、とうとう設計が合理的で効果的に前記諸課題を解消できる本発明を提出するに至った。
【０００６】
【発明が解決しようとする課題】
本発明は、使用面積増加可能なコード巻回ケース構造を提供することをその主要な目的とし、それは、通信コードをそれぞれコード巻回盤の第一盤体の両面における収納槽内とコード巻回軸外に配置し、通信コードがコード巻回盤に巻回される場合にその内圏部分と外圏部分とがずれた状態になり、相互間に干渉や影響を生じなく、通信コードがコード巻回盤の空間的制限を受けなくなり、コード巻回ケースの使用面積を大幅に拡大でき、長いほうの通信コードを適用可能になり、コード巻回ケースの使用性を向上できるようにする。
【０００７】
また、本発明は、他の種の仕様面積増加可能なコード巻回ケース構造を提供することをその次の目的とし、それは、動力スプリングをコード巻回盤内に収納することによって動力スプリングの占用するスペースを減少できるので、コード巻回ケースの使用面積を大幅に拡大でき、長いほうの通信コードを使用可能になる。
【０００８】
また、本発明は、他の種の仕様面積増加可能なコード巻回ケース構造を提供することをその他の目的とし、それはニーズに応じて一方向コード引き出しモードまたは双方向コード引き出しモードを選択できる。
【０００９】
【課題を解決するための手段】
前記の目的を図るために、本発明は、内部に収納空間が形成される、コード巻回ケース本体と、両面にそれぞれ収納槽と巻回軸とを有する第一盤体を備える、前記コード巻回ケース本体の収納空間内に枢着される、コード巻回盤と、一端が前記コード巻回盤のコード巻回軸の外方に巻回されて内圏部分を形成しつつ、他端が前記コード巻回盤の第一盤体を通してから前記収納槽内に巻回されて外圏部分を形成することによって前記コード巻回盤の第一盤体の両面におけるコード巻回軸と収納槽内に配置される、通信コードと、前記コード巻回ケース本体と前記コード巻回盤との間に連接される動力スプリングとを少なくとも有する、使用面積増加可能なコード巻回ケース構造を提供する。
【００１０】
以下に添付図面を参照しながら本発明の優れた実施の形態を詳細的で具体的に説明するが、それらの説明による具体的な構造は単に本発明の実施可能な実施例に過ぎず、本発明を狭義的に定義するものではないことが言うまでもない。
【００１１】
【発明の実施の形態】
図１ないし図６に示すのは、本発明の使用面積増加可能なコード巻回ケース構造には、コード巻回ケース本体１と、コード巻回盤２と、通信コード３と、動力スプリング４とを備え、そのうち、コード巻回ケース本体１は、第一半分体１１と第二半分体１２とを係合またはネジ１８による螺合作用などによって組立てられて形成される中空状ケーシングであり、コード巻回ケース本体１の内部に凹み状の収納空間１３が形成され、そこに通信コード３とコード巻回盤２と動力スプリング４とを収納でき、収納空間１３の縁部に通信コード３の一端の伸びだすことを許容できる第一孔部１４と通信コード３の他端の伸びだすことを許容できる第二孔部１５とが形成され、且つ収納空間１３の内側面部に中空状の突出軸１６が配置され、且つその対向する他の側面部に突出軸１６の一端の挿着位置決めることに供することができる凹槽１７が形成されている。
【００１２】
また、コード巻回盤２は、第一盤体２１と第二盤体２２とからなり、それらの二つの盤体２１と２２とが一体成形の方式によって形成されるものであるか、係止などの方式によって接合されるものであり、それらの二つの盤体２１、２２には中心軸孔２３が形成され、第一盤体２１の両面にそれぞれ中空状コード巻回軸２４と収納槽２５とを備え、収納槽２５が二つの盤体２１，２２の間に位置され、また、コード巻回軸２４の底部の外周縁部に位置決め部材２８が配置され、位置決め部材２８が円弧状または円柱状に形成され、また、第一盤体２１には穿孔２９が形成され、穿孔２９が第一盤体２１の両面を貫通する。また、第二盤体２２にはスプリング収納槽２６が凹んで形成しており、スプリング収納槽２６内に係止板２７が配置される。コード巻回盤２がコード巻回ケース本体１の収納空間３内に収納されつつ、そのコード巻回盤２が軸孔２３を介して突出軸１６に枢着され、コード巻回盤２を収納空間１３内で回転可能に設定する。
【００１３】
また、通信コード３はその両端がプラグまたはイヤホンなどの装置（図示せず）を連結でき、通信コード３がコード巻回盤２のコード巻回軸２４外に巻回されて内圏部分３１を形成し、通信コード３の他端がコード巻回盤２の第一盤体２１における穿孔２９を貫通してから収納槽２５内に巻回されて外圏部分３２を形成し、それらのことによって通信コード３をそれぞれコード巻回盤２の第一盤体２１の両面のコード巻回軸２４の外方と収納槽２５内に配置し、通信コード３が位置決め部材１８とコード巻回軸２４との間を通し、通信コード３を挟持位置決めし、引っ張って移動できないようになり、通信コード３の両端部がそれぞれコード巻回ケース本体１の第一孔部１４と第二孔部１５より外部へ伸び出される。
【００１４】
また、動力スプリング４がコード巻回盤２のスプリング収納槽２６内に配置され、動力スプリング４の一端４１がコード巻回盤２の係止板２７に係止され、動力スプリング４とコード巻回盤２とを連結し、動力スプリング４の他端４２がコード巻回ケース本体１の突出軸１６における予め形成されるスリット１６１に係止され、動力スプリング４とコード巻回ケース本体１とを連結し、こうすると、動力スプリング４がコード巻回ケース本体１とコード巻回盤２との間に連結されるようになり、コード巻回盤２が回転する時に動力スプリング４が動的エネルギーを集められる。
【００１５】
他に、動力スプリング４の下方に仕切片４３が配置され、仕切片４３が動力スプリング４と通信コード３との間に介在され、動力スプリング４と通信コード３とが直接的に接触摩擦することを防止できる。他に、動力スプリング４の上方にカバー６が配置され、カバー６がスプリング収納槽２６に上部にカバーされ、それによってスプリング収納槽２６を封止する。カバー６の一面に複数の係止フック６１が突出形成され、また、コード巻回盤２には複数の対応する係止孔２０１が形成され、それらの係止フック同士６１と係止孔同士２０１とが相互に係止してカバー６とコード巻回盤２とを一体になるように穏やかに結合する。
【００１６】
前記のようにする場合、図３と図４に示すようなコード巻回ケースを形成できる。実際に使用される際に、前記コード巻回ケースにかなり長いほうの通信コード３を巻回・収納できると共に、随時に巻き戻せる特性を有し、使用者は通信コード３の結合しているプラグ（図示せず）を関連のある通信装置のコンセントに挿着でき、情報のダウンロード交流を実行でき、また、通信コード３の両端がそれぞれコード巻回ケースより直接的に引き出されることができ、且つそれらの通信コード３の両端部がケース内の動力スプリング４の作用を受けて所定の巻き戻しテンションを保持でき、コードを順調にケース内に巻回し戻させることができるので、コードが外部へ出させて相互に纏い合うようになることをなくすことができる。
【００１７】
他に、使用者が通信コード３を引き出して使用する時に巻回し戻しテンションの影響を受けて使用者に邪魔をかけることを防止するために、カバー６に位置決めベース６２を突出形成しつつ、その位置決めベース６２に複数の係止槽同士６３を形成し、且つコード巻回盤２に近接する箇所に往復制御手段５を配置し、往復制御手段５には自由にスイング可能なスイング・ピース５１と自由に回転可能なツメ車５２があり、それらのスイング・ピース５１とツメ車５２とカバー６の係止槽６３との間の特殊なインターアクト関係によって通信コード３を繰り返して引っ張ったり釈放したりすることができるようにし、固定または巻回を交替的に実行できる。
【００１８】
他に、コード巻回ケース本体１の側辺部の第一孔部１４の近傍に係止ボタン１９を配置してもよく、係止ボタン１９が滑走可能にコード巻回ケース本体１の縁部に合せられ、係止ボタン１９の一端に係止部１９１が設けられ、係止ボタン１９が第一孔部１４の方向へ推し進められる場合に、係止部１９１が通信コード３に当接され、通信コード３を係止する効果を達成し（図７参照）、通信コード３の一端に係止状態を呈させ、引っ張って移動不能に形成させ、通信コード３の他端のもが引っ張って移動可能にし、こうする場合では、通信コード３は一端がコード出し可能な使用状態（即ち一方向コード出し状態）になり、また、係止ボタン１９が逆方向へ推し進められる場合に、係止部１９１が通信コード３より離脱し、通信コード３を釈放する作用を実現し（図８参照）、通信コード３の両端部がすべて引っ張って移動可能になり、こうすると、通信コード３が二端部がコード出し可能な使用状態（即ち双方向コード出し状態になる）になり、他に、係止ボタン１９をコード巻回ケース１の縁部に固定してもよく、係止ボタン１９の係止部１９１によって通信コード３を係止固定する。
【００１９】
他に、図９に示すように、本発明の通信コード３の両端部はそれぞれ音源プラグ３３とイヤホン３４とを連結してもよい。他に、図１０に示すように、本発明の通信コード３の両端はそれぞれユニバーサル・シリアル・ポート（ＵＳＢ）コネクタ３５を連結してもよい。他に、図１１に示すように、本発明の通信コード３は頭掛け式イヤホン３を連結してもよい。
【００２０】
他に、図１２に示すように、本発明は位置決めベース６２’にトラック・スロット６４’を形成すると共に、トラック・スロット６４’内にローリング・ボール６５’を配置し、且つコード巻回ケース本体１の内壁にストップ・スロット６６’を形成すると共に、ローリング・ボール６５’の一部をそのストップ・スロット６６’に係止し、ローリング・ボール６５’にストップ・スロット６６’内のみで移動可能にし、ローリング・ボール６５’とトラック・スロット６４’との間の特殊なインターアクト関係によって通信コード３を引っ張ったり釈放したりすることを繰り返すことによって固定または巻回されることを実行できる。
【００２１】
また、図１３と図１４に示すように、本発明も通信装置７に配置可能であり、コード巻回ケース本体１の第一半分体１１と第二半分体１２も通信装置７と一体成形によって製造されることができる（図１５参照）。また、図１６ないし図１８に示すように、本発明も交換変圧器８や車両用チャージャー９や延長コードコンセント１０などの装置に配置できる。また、図１９に示すように、本発明もコードレス電話装置２０に配置でき、コードレス電話装置２０と外部接続式イヤホン２００１とマイク２００２とを接続できる。
【００２２】
また、図２０に示すように、本発明もコード電話装置３０と受話器３０１との間に接続でき、コード電話装置３０と受話器３０１とを接続する。
【００２３】
また、図２１に示すように、本発明もコード巻回ケース本体１にボタン式の往復制御手段５’を設けてもよく、通信コード３を押し付ける方式によって固定または巻回のコントロールを実行することができるように設定してもよい。
【００２４】
他に、図２２に示すように、本発明の動力スプリング４も適当にコード巻回ケース本体１の収納空間１３内に位置決められ、動力スプリング４の係止端４１がコード巻回盤２の係止孔２０２に係止され、そのことによって動力スプリング４とコード巻回盤２とを連接し、動力スプリング４がコード巻回ケース本体１とコード巻回盤２との間に連接され、コード巻回盤２が回転する時に、動力スプリング４が動的エネルギーを収集できる。他に、コード巻回ケース本体１の収納空間１３内に載置ベース４４が配置され、動力スプリング４がそれとコード巻回ケース本体１の壁部との間に載置できるようにしてもよい。
【００２５】
他に、図２３と図２４に示すように、本発明もマウス装置４０の内部に配置してもよく（図２３参照）、またはその外部に配置してもよく（図２４参照）、マウス装置４０とユニバーサル・シリアル・ポート・コネクタ３５とを接続する。本発明もカード読取装置や他の電子通信製品やコンピュータ周辺製品などに配置できる。
【００２６】
本発明は、通信コード３をそれぞれコード巻回盤２の第一盤体２１の両面の収納槽２５内とコード巻回軸２４の外方に配置し、通信コード３がコード巻回盤２においてずれた収納槽２５の内方とコード巻回軸２４の外方に配置されるので、通信コード３がコード巻回盤２に巻回される場合に、内圏部分３１と外圏部分３２とがずれた状態となり、相互間に影響や干渉を生じなく、通信コード３がコード巻回盤２に巻回される場合に、コード巻回盤２の空間的制限を受けなくなり、コード巻回ケースの使用面積を大幅に増加できるので、長いほうの通信コード３を収納できるようになるため、コード巻回ケースの使用のことをさらに便利にならせることができる。
【００２７】
また、本発明は動力スプリング４をコード巻回盤２のスプリング収納槽２６内に収納できるので、動力スプリング４の占用空間を減少できるようになるため、コード巻回ケースの使用面積をさらに拡大できるようになり、より長いほうの通信コード３を利用可能になる。
【００２８】
【発明の効果】
前記に説明した通り、本発明はコード巻回ケースの使用面積を大幅に増加でき、より長いほうの通信コードを適用でき、使用にはさらに便利になる。
【図面の簡単な説明】
【図１】本発明の第一の実施の形態を示す分解斜視図である。
【図２】本発明の第一の実施の形態の他の角度から観察する場合のことを示す分解斜視図である。
【図３】本発明の第一の実施の形態を示す組立斜視図である。
【図４】本発明の第一の実施の形態の他の角度から観察する場合のことを示す組立斜視図である。
【図５】本発明の第一の実施の形態を示す平面図である。
【図６】図５における６−６断面図である。
【図７】本発明の第一の実施の形態の作動状態を示す説明図（一）である。
【図８】本発明の第一の実施の形態の作動状態を示す説明図（二）である。
【図９】本発明の第二の実施の形態を示す組立斜視図である。
【図１０】本発明の第三の実施の形態を示す組立斜視図である。
【図１１】本発明の第四の実施の形態を示す組立斜視図である。
【図１２】本発明の第五の実施の形態を示す分解斜視図である。
【図１３】本発明の第六の実施の形態を示す分解斜視図である。
【図１４】本発明の第六の実施の形態を示す組立斜視図である。
【図１５】本発明の第七の実施の形態を示す分解斜視図である。
【図１６】本発明の第八の実施の形態を示す組立斜視図である。
【図１７】本発明の第九の実施の形態を示す組立斜視図である。
【図１８】本発明の第十の実施の形態を示す組立斜視図である。
【図１９】本発明の第十一の実施の形態を示す組立斜視図である。
【図２０】本発明の第十二の実施の形態を示す組立斜視図である。
【図２１】本発明の第十三の実施の形態を示す断面図である。
【図２２】本発明の第十四の実施の形態を示す分解斜視図である。
【図２３】本発明の第十五の実施の形態を示す組立斜視図である。
【図２４】本発明の第十六の実施の形態を示す組立斜視図である。
【符号の説明】
１      コード巻回ケース本体
２      コード巻回盤
３      通信コード
４      動力スプリング
５、５’  往復制御手段
６      カバー
７      通信装置
８      交換変圧器
９      車両用チャージャー
１０    延長コードコンセント
１１    第一半分体
１２    第二半分体
１３    収納空間
１４    第一孔部
１５    第二孔部
１６    突出軸
１７    凹槽
１８    ネジ
１９    係止ボタン
２０    コードレス電話装置
２１    第一盤体
２２    第二盤体
２３    軸孔
２４    コード巻回軸
２５    収納槽
２６    スプリング収納槽
２７    係止板
２８    位置決め部材
２９    穿孔
３０    コード電話装置
３１    内圏部分
３２    外圏部分
３３    音源プラグ
３４    イヤホン
３５    ユニバーサル・シリアル・ポート・コネクタ
３６    頭掛け式イヤホン
４０    マウス装置
４１、４２  係止端
４３    仕切片
４４    載置ベース
５１    スイング・ピース
５２    ツメ車
６１    係止フック
６２、６２’  位置決めベース
６３    係止槽
６４’  トラック・スロット
６５’  ローリング・ボール
６６’  ストップ・スロット
１９１  係止部
２０１、２０２  係止孔
３０１  受話器
２００１  外部接続式イヤホン
２００２  マイク
【図１】
2005015104.tif 000003
【図２】
2005015104.tif 000004
【図３】
2005015104.tif 000005
【図４】
2005015104.tif 000006
【図５】
2005015104.tif 000007
【図６】
2005015104.tif 000008
【図７】
2005015104.tif 000009
【図８】
2005015104.tif 000010
【図９】
2005015104.tif 000011
【図１０】
2005015104.tif 000012
【図１１】
2005015104.tif 000013
【図１２】
2005015104.tif 000014
【図１３】
2005015104.tif 000015
【図１４】
2005015104.tif 000016
【図１５】
2005015104.tif 000017
【図１６】
2005015104.tif 000018
【図１７】
2005015104.tif 000019
【図１８】
2005015104.tif 000020
【図１９】
2005015104.tif 000021
【図２０】
2005015104.tif 000022
【図２１】
2005015104.tif 000023
【図２２】
2005015104.tif 000024
【図２３】
2005015104.tif 000025
【図２４】
2005015104.tif 000026